(57)【特許請求の範囲】
【請求項１】
上部に平坦部を形成し中央外周に複数個のＬＥＤを備えたＬＥＤテープを取付け点灯部とした球体型の連結部と前記連結部の下部に支持体を介して連設した基台部と、前記基台部下部に連設され周囲にネジ山を施し固定ナットを螺合した取付部と、前記点灯部のＬＥＤテープに接続され先端にコネクタを備えた配線とからなることを特徴とするトレーラー用点灯式連結具。
【請求項２】
略長方形状で上部に孔を穿設した起立部を備え正面空間を形成したケースと、ケースの下部に連設され正面側が湾曲し上面にスイッチを備え背面空間を形成し背面空間内にスイッチへ接続された配線及び電池を備えた載置部とからなるトレーラー用点灯式連結具を収納する収納ケース。
【発明の詳細な説明】
【技術分野】
【０００１】
本発明は、トレーラ用点灯式連結具に関する発明である。
【背景技術】
【０００２】
従来、トレーラー用連結具は図１０に示すように、上部が平坦部となった略球体の連結部６に支持体６ａを介して基台部６ｂを連設し、基台部６ｂの下部に連設した取付部６ｅにワッシャ６ｃと固定ナット６ｄを螺合させたものであった。
【０００３】
しかしながら、従来のトレーラー用連結具では、夜間など暗い場所ではなかなかトレーラー用連結具を見つけることができず、トレーラーを車に取り付ける準備がスムーズに進まなかった。
【特許文献１】特開平１１−１１５４２５号公報
【発明の開示】
【発明が解決しようとする課題】
【０００４】
そこで、本発明は、夜間や暗い場所であっても、車体とトレーラーを容易に接続することができるトレーラー用点灯式連結具を提供することを目的とするものである。
【課題を解決するための手段】
【０００５】
本発明は、上記の課題を解決するために、上部に平坦部２ａを形成し中央外周に複数個のＬＥＤ２ｌを備えたＬＥＤテープ２ｋを取付け点灯部２ｂとした球体型の連結部２と、前記連結部２の下部に支持体２ｃを介して連設した基台部２ｄと、前記基台部２ｄの下部に連設され周囲にネジ山を施し固定ナット２ｆを螺合した取付部２ｇと、前記点灯部２ｂのＬＥＤテープ２ｋに接続され先端にコネクタ２ｊを備えた配線２ｉとからなることを特徴とするトレーラー用点灯式連結具1の構成及び略長方形状で上部に孔３ｅを穿設した起立部３ｄを備え正面空間３ｃを形成したケース３ａと、前記ケース３ａの下部に連設され正面側が湾曲し上面にスイッチを備え背面空間３ｈを形成し背面空間内にスイッチへ接続された配線３ｉ及び電池３ｋを備えた載置部３ｂとからなるトレーラー用点灯式連結具１を収納する収納ケース３の構成とした。
【発明の効果】
【０００６】
本発明のトレーラー用点灯式連結具は、複数個のＬＥＤが取り付けられているため、夜間や暗い中であっても、容易にトレーラーをトレーラー用点灯式連結具に取り付けることができきる。
【０００７】
また、電池及びスイッチを備えた収納ケースには電力源が確保されているため、車体の尾灯配線に直接接続せずに、収納ケースのスイッチで点灯させることができ、車体以外でも使用することができる。
【発明を実施するための最良の形態】
【０００８】
夜間や暗い場所であっても容易にトレーラーと車体を連結することができるトレーラー用連結具という目的を、点灯機能を付けることによって実現した。
【実施例１】
【０００９】
図１は本発明であるトレーラー用点灯式連結具の斜視図、図２はトレーラー用点灯式連結具の断面図である。図１及び図２に示すように、本発明であるトレーラー用点灯式連結具１は、上部に平坦部２ａを形成し中央外周に複数個のＬＥＤ２ｌを備えたＬＥＤテープ２ｋを取付け点灯部２ｂとした球体型の連結部２と前記連結部２の下部に支持体２ｃを介して連設した基台部２ｄと前記基台部２ｄの下部に連設され周囲にネジ山を施し固定ナット２ｆを螺合した取付部２ｇと前記点灯部２ｂのＬＥＤテープ２ｋに接続され先端にコネクタ２ｊを備えた配線２ｉからなる。
【００１０】
図２に示すように、取付部２ｇの中央下部から連結部２ａの中心にかけては中空と２ｍとなっており、更に中空２ｍは連結部２ａの中央から直角に曲がり連結部２ａの外方に向かっている。この中空２ｍ内には配線２ｉが挿通されており、一端は前記ＬＥＤテープ２ｋに接続され、他端にはコネクタ２ｊが取り付けられている。
【００１１】
連結部２ａの中央外周に巻き付けられたＬＥＤテープ２ｋの表面には複数のＬＥＤ２ｌが取り付けられており、更にそのＬＲＤ２ｌを保護するようにカバーがされて点灯部２ｂを形成し、配線２ｉから得た電力によりＬＥＤ２ｌが点灯する仕組みとなっている。
【００１２】
前記取付部２ｇに固定ナット２ｆを螺合する際には取付部２ｇを予めワッシャ２ｅに挿通し、その後固定ナット２ｆを取付部２ｇに螺合する。尚、実際にトレーラー用連結具１を取り付ける際には、基台部２ｄとワッシャ２ｅで取付部分を挟み、固定ナット２ｆを締めることにより固定する。
【００１３】
取付部２ｇ内より下方に向かって飛び出している配線２ｉには配線カバー２ｈが施されており、先端にコネクタ２ｊが取り付けられている。また、配線２ｉの途中に取り付けられているのは抵抗２ｎである。
【００１４】
図３はトレーラー用点灯式連結具及び収納ケースの斜視図、図４はトレーラー用点灯式連結具及び収納ケースの正面図、図５はトレーラー用点灯式連結具及び収納ケースの背面図、図６はトレーラー用点灯式連結具及び収納ケースの左側面図、図７はトレーラー用点灯式連結具及び収納ケースの平面図、図８はトレーラー用点灯式連結具及び収納ケースの底面図である。
【００１５】
図３から図８に示すように、本発明であるトレーラー用点灯式連結具１を収納する収納ケース３は、略長方形状で上部に孔３ｅを穿設した起立部３ｄを備え正面空間３ｃを形成したケース３ａとケース３ａの下部に連設され正面側が湾曲し背面空間３ｈを形成した載置部３ｂからなる。
【００１６】
前記載置部３ｂの上面の先端にはスイッチ３ｇが取り付けられており、スイッチ３ｇは図５に示した載置部３ｂの内側に取り付けられた配線３ｉに接続されている。この配線３ｉの先端にはコネクタ３ｊが取り付けられている。また、前記起立部３ｄの背面に取り付けた略三角形状の支持板３ｆ、３ｆは起立部３ｄの補強材である。
【００１７】
図３から図８に示すように、前記トレーラー用連結具１を収納ケース３に収納する際、トレーラー用連結具１の基台部２ｄと固定ナット２ｆで収納ケース３の載置部３ｂ上面を挟んで固定する。即ち、トレーラー用連結具１の基台部２ｄより上部は正面空間３ｃ内に収納され、取付部２ｇ及びワッシャ２ｅ、固定ナット２ｆは背面空間３ｈ内に収納された状態となる。
【００１８】
尚、図６に示したように、ケース３ａの幅は載置部３ｂの幅のおよそ半分であるため、正面空間３ｃの幅も背面空間３ｈの幅より狭く、トレーラー用連結具１の連結部３ａの正面側約半分は正面空間３ｃより外に出ている。
【００１９】
前記トレーラー用点灯式連結具１のコネクタ２ｊと収納ケース３のコネクタ３ｊは接続することができ、両者を接続した状態でスイッチ３ｇを入れるとトレーラー用連結具の点灯式連結具１のＬＥＤ２ｌが点灯する。尚、電力源は背面空間３ｈに取り付けた電池３ｋから得る。
【００２０】
図９は、本発明であるトレーラー用点灯式連結具を使用した状態を示した図である。図９に示すように、トレーラー用点灯式連結具１は車に取り付けられた連結板４に設置する。その際、連結板４に穿設された孔にトレーラー用点灯式連結具１の取付部２ｇを挿通させ基台部２ｄが連結板４上に乗った状態にし、取付部２ｇに下側からワッシャ２ｅを取付け、更に固定ナット２ｆを螺合し、しっかりと固定する。
【００２１】
連結板４は接続部４ｂを介して略台形状の２枚のプレートからなる取付部４ｃに連結されている。取付部４ｃをリアバンパー５ａの下にある車体側取付部５に取り付けることにより車体に連結板４を設置し、更にトレーラー用点灯式連結具１を取り付けることができる。              
【００２２】
尚、連結板４の上面中間部に形成された起立部４ａは連結板４の後端と一緒に接続部４ｂに連結されて補強をしている。
【００２３】
本発明であるトレーラー用点灯式連結具１を連結板４を介して車体に取り付けた場合、コネクタ２ｊは車の尾灯に接続され、尾灯と連動して点灯するように接続される。これにより暗い中であっても容易にトレーラー用点灯式連結具１にトレーラーを接続することができる。
【図面の簡単な説明】
【００２４】
【図１】本発明であるトレーラー用点灯式連結具の斜視図である。
【図２】本発明であるトレーラー用点灯式連結具の断面図である。
【図３】本発明であるトレーラー用点灯式連結具及び収納ケースの斜視図である。
【図４】本発明であるトレーラー用点灯式連結具及び収納ケースの正面図である。
【図５】本発明であるトレーラー用点灯式連結具及び収納ケースの背面図である。
【図６】本発明であるトレーラー用点灯式連結具及び収納ケースの左側面図である。
【図７】本発明であるトレーラー用点灯式連結具及び収納ケースの平面図である。
【図８】本発明であるトレーラー用点灯式連結具及び収納ケースの底面図である。
【図９】本発明であるトレーラー用点灯式連結具を使用した状態を示した図である。
【図１０】従来のトレーラー用連結具を示した図である。
【符号の説明】
【００２５】
１      トレーラー用点灯式連結具
２      連結部
２ａ    平坦部
２ｂ    点灯部
２ｃ    支持体
２ｄ    基台部
２ｅ    ワッシャ  
２ｆ    固定ナット
２ｇ    取付部
２ｈ    配線カバー
２ｉ    配線
２ｊ    コネクタ
２ｋ    ＬＥＤテープ
２ｌ    ＬＥＤ
２ｍ    中空
２ｎ    抵抗
３      収納ケース
３ａ    ケース
３ｂ    載置部
３ｃ    正面空間
３ｄ    起立部
３ｅ    孔
３ｆ    支持板
３ｇ    スイッチ
３ｈ    背面空間
３ｉ    配線
３ｊ    コネクタ
３ｋ    電池
４      連結板
４ａ    起立部
４ｂ    接続部
４ｃ    取付部
５      車体側取付部
５ａ    リアバンパー
６      連結部
６ａ    支持体
６ｂ    基台部
６ｃ    ワッシャ
６ｄ    固定ナット
【図１】
0004534159.tif 000002
【図２】
0004534159.tif 000003
【図３】
0004534159.tif 000004
【図４】
0004534159.tif 000005
【図５】
0004534159.tif 000006
【図６】
0004534159.tif 000007
【図７】
0004534159.tif 000008
【図８】
0004534159.tif 000009
【図９】
0004534159.tif 000010
【図１０】
0004534159.tif 000011